【手続補正書】
【提出日】平成20年5月29日(2008.5.29)
【手続補正１】
【補正対象書類名】明細書
【補正対象項目名】特許請求の範囲
【補正方法】変更
【補正の内容】
【特許請求の範囲】
【請求項１】 遠隔位置に設けられ、スキャニング・モードにおいて動作時にスキャンデータを取得可能なスキャニング装置（２）と、
中央位置に設けられているコンピュータ・システム（１６、２２）と、前記スキャニング装置と前記コンピュータ・システムとを接続する通信チャネル（１８）とを備えたシステムであって、
前記スキャニング装置は、前記スキャニング装置を使用して実施された各々の検査に対し、検査の標識子、検査日付、検査の開始時刻及び終了時刻、検査形式を含む運用データを取得し、記憶して、データ・ログ記録機能が作動しているときに該データ・ログ記録機能に従って前記通信チャネルを介して前記コンピュータ・システムに対し記憶されている前記運用データを含むログ・ファイルを定期的に送付することが可能であり、
前記コンピュータ・システムは、
前記スキャニング装置において前記データ・ログ記録機能を作動させる工程と、
該作動させられたデータ・ログ記録機能に従って前記スキャニング装置からログ・ファイルを受領する工程と、
受領した各ログ・ファイルの特性又は受領したログ・ファイルの連続した組の特性を表すデータを生成する工程と、
入来ログ・ファイルの特性が履歴的基準値から逸脱した値を有しているときを検出するように各々の入来ログ・ファイルの前記データを監視する工程とを実行するようにプログラムされている、システム。
【請求項２】 前記コンピュータ・システムは、前記履歴的基準値から所定の量を超えて逸脱している前記特性の値に応答して、前記通信チャネルを介して前記スキャニング装置において前記データ・ログ記録機能を初期化し直すようにさらにプログラムされている請求項１に記載のシステム。
【請求項３】 前記特性は、前記スキャニング装置から受領した各々の入来ログ・ファイルとその先行するログ・ファイルとの間の日数である請求項１に記載のシステム。
【請求項４】 前記監視する工程は、前記スキャニング装置から受領した各々の入来ログ・ファイルとその先行するログ・ファイルとの間の日数を記憶する工程を含んでおり、
前記監視する工程は、前記スキャニング装置から受領したログ・ファイルの履歴的系列において連続するログ・ファイルの間の履歴的平均日数を算出する工程と、前記スキャニング装置から受領した各々の入来ログ・ファイルとその次に先行するログ・ファイルとの間の日数が、前記履歴的平均日数から少なくとも所定の量だけ逸脱しているか否かを判定する工程と、をさらに含んでおり、
前記算出する工程は、前記ログ・ファイルの履歴的系列から各々の入来ログ・ファイルを除外する工程をさらに含んでいる請求項１に記載のシステム。
【請求項５】 前記特性は、前記スキャニング装置から受領した各々の入来ログ・ファイルのサイズであり、
前記監視する工程は、前記スキャニング装置から受領した各々の入来ログ・ファイルのサイズを記憶する工程を含んでおり、
前記監視する工程は、前記スキャニング装置から受領したログ・ファイルの履歴的系列の履歴的平均サイズを算出する工程と、前記スキャニング装置から受領した各々の入来ログ・ファイルのサイズが、前記履歴的平均サイズから少なくとも所定の量だけ逸脱しているか否かを判定する工程と、をさらに含んでおり、
前記算出する工程は、前記ログ・ファイルの履歴的系列から各々の入来ログ・ファイルを除外する工程をさらに含んでいる請求項１に記載のシステム。
【請求項６】 前記運用データは、前記スキャニング装置を識別するシステム・データと、前記スキャニング装置の利用状況を記録したデータとを含んでいる請求項１に記載のシステム。
【請求項７】 遠隔位置に設けられ、スキャニング・モードにおいて動作時にスキャンデータを取得可能なスキャニング装置（２）と、
中央位置に設けられているコンピュータ・システム（１６、２２）と、前記スキャニング装置と前記コンピュータ・システムとを接続する通信チャネル（１８）とを備えたシステムであって、
前記スキャニング装置は、前記スキャニング装置を使用して実施された各々の検査に対し、検査の標識子、検査日付、検査の開始時刻及び終了時刻、検査形式を含む運用データを取得し、記憶して、データ・ログ記録機能が作動しているときに該データ・ログ記録機能に従って前記通信チャネルを介して前記コンピュータ・システムに対し記憶されている運用データを含むログ・ファイルを定期的に送付することが可能であり、
前記コンピュータ・システムは、
前記スキャニング装置において前記データ・ログ記録機能を作動させる工程と、
該作動させられたデータ・ログ記録機能に従って前記スキャニング装置からログ・ファイルを受領する工程と、
受領した各ログ・ファイルの第１の特性を表す第１のデータを生成する工程と、
受領したログ・ファイルの連続した各組の第２の特性を表す第２のデータを生成する工程と、
入来ログ・ファイルの第一の特性が該第一の特性の履歴的基準値から逸脱した値を有しているとき、及び入来ログ・ファイルの第二の特性が該第二の特性の履歴的基準値から逸脱した値を有しているときを検出するように各々の入来ログ・ファイルの第１及び第２のデータを監視する工程とを実行するようにプログラムされている、システム。
【請求項８】 通信チャネル（１８）を介して多数の遠隔配置されたスキャニング装置（２）に接続された自動中央サービス施設（１６、２２）を備えたシステムであって、
各々のスキャニング装置は、スキャニング・モードにおいて動作時にスキャンデータを取得し、前記スキャニング装置を使用して実施された各々の検査に対し、検査の標識子、検査日付、検査の開始時刻及び終了時刻、検査形式を含む運用データを取得し、記憶して、前記スキャニング装置に記憶されているデータ・ログ記録プログラムが作動しているときに該データ・ログ記録プログラムに従って前記中央サービス施設に対し記憶されている運用データを含むログ・ファイルを定期的に送付するようにプログラムされており、
前記中央サービス施設は、
各々の装置においてそれぞれのデータ・ログ記録プログラムを作動させる手段と、
該作動させられたデータ・ログ記録プログラムに従って前記スキャニング装置からログ・ファイルを受領する手段と、
受領した各ログ・ファイルの特性又は受領したログ・ファイルの連続した組の特性を表すデータを生成する手段と、
特定の装置について、入来ログ・ファイルの特性が履歴的基準値から逸脱した値を有しているときを検出するように各々の入来ログ・ファイルのデータを監視する手段とを含んでいる、システム。
【請求項９】 遠隔位置に設けられている計算機式スキャニング装置からの集中型データ収集を監視する方法であって、
前記スキャニング装置を使用して実施された各々の検査に対し、検査の標識子、検査日付、検査の開始時刻及び終了時刻、検査形式を含む運用データを記憶し、データ・ログ記録機能が作動しているときに該データ・ログ記録機能に従って前記通信チャネルを介して中央位置に対し記憶されている運用データを含むログ・ファイルを定期的に送付するように前記スキャニング装置をプログラムする工程と、
前記通信チャネルを介して前記中央位置から前記スキャニング装置において前記データ・ログ記録機能を作動させる工程と、
該作動させられたデータ・ログ記録機能に従って前記通信チャネルを介して前記スキャニング装置から前記中央位置においてログ・ファイルを受領する工程と、
受領した各ログ・ファイルの特性又は受領したログ・ファイルの連続した組の特性を表すデータを生成する工程と、
入来ログ・ファイルの特性が履歴的基準値から逸脱した値を有しているときを検出するように前記中央位置において各々の入来ログ・ファイルのデータを監視する工程と、を含んでいる方法。
【請求項１０】 通信チャネル（１８）を介して多数の遠隔配置されたスキャニング装置（２）に接続された自動中央サービス施設（１６、２２）を備えたシステムであって、各々のスキャニング装置は、スキャニング・モードにおいて動作時にスキャンデータを取得し、前記スキャニング装置を使用して実施された各々の検査に対し、検査の標識子、検査日付、検査の開始時刻及び終了時刻、検査形式を含む運用データを取得し、記憶して、前記スキャニング装置に記憶されているデータ・ログ記録プログラムが作動しているときに該データ・ログ記録プログラムに従って前記中央サービス施設に対し記憶されている運用データを含むログ・ファイルを定期的に送付するようにプログラムされており、
前記中央サービス施設は、
前記作動しているデータ・ログ記録プログラムに従って前記スキャニング装置からログ・ファイルを受領する工程と、
受領した各ログ・ファイルの特性又は受領したログ・ファイルの連続した組の特性を表すデータを生成する工程と、
特定の装置について、入来ログ・ファイルの特性が履歴的基準値から逸脱した値を有しているときを検出するように各々の入来ログ・ファイルのデータを監視する工程とを実行するようにプログラムされているコンピュータ・システムを含んでいる、システム。